(57)【要約】【課題】  印刷物のデザインを損ねることなく、様々な印刷形態に対応することができ、印刷の再発注を容易に行えるようにした印刷指示装置および印刷システムを提供する。【解決手段】  この印刷指示装置２は、印刷物の生成に必要な印刷情報をその識別情報ととも記憶する再印刷情報記憶手段２３と、識別情報を入力する印刷・再印刷指示入力手段２０と、印刷・再印刷指示入力手段２０によって入力された識別情報に対応する印刷情報を再印刷情報記憶手段２３から読み出し、印刷物の生成、および印刷物の付属物への識別情報の印刷を行うよう印刷装置３に対し印刷指示を行う再印刷実行手段２４とを備える。印刷物の付属物に識別情報を印刷することにより、発注者は識別情報で印刷の再発注を行うことができ、受注者は、印刷の再受注の際にその識別情報を印刷・再印刷指示入力手段２０に入力することで、再印刷に必要な印刷情報を取得することができる。【選択図】    図１
2006277439.tif 000002
【特許請求の範囲】
【請求項１】
印刷物の生成に必要な印刷情報をその識別情報ととも記憶する記憶手段と、
前記識別情報を入力する入力手段と、
前記入力手段によって入力された前記識別情報に対応する前記印刷情報を前記記憶手段から読み出し、前記印刷物の生成、および前記印刷物の付属物への前記識別情報の印刷を行うよう印刷装置に対し印刷指示を行う印刷実行手段とを備えたことを特徴とする印刷指示装置。
【請求項２】
前記入力手段は、前記識別情報の他に前記印刷情報を入力するものであり、
前記印刷実行手段は、前記入力手段に前記印刷情報が入力されたとき、前記印刷情報に固有の識別情報を生成し、前記印刷情報を前記識別情報とともに前記記憶手段に記憶し、前記印刷装置に対し印刷指示を行うことを特徴とする請求項１に記載の印刷指示装置。
【請求項３】
前記印刷情報には、印刷設定情報および印刷データが含まれることを特徴とする請求項１に記載の印刷指示装置。
【請求項４】
印刷装置と、前記印刷装置に対し印刷指示を行う印刷指示装置とを有する印刷システムにおいて、
前記印刷指示装置は、印刷物の生成に必要な印刷情報をその識別情報ととも記憶する記憶手段と、前記識別情報を入力する入力手段と、前記入力手段によって入力された前記識別情報に対応する前記印刷情報を前記記憶手段から読み出し、印刷物の生成、および前記印刷物の付属物への前記識別情報の印刷を行うよう前記印刷装置に対し印刷指示を行う印刷実行手段とを備えたことを特徴とする印刷システム。
【請求項５】
前記入力手段は、前記識別情報の他に前記印刷情報を入力するものであり、
前記印刷実行手段は、前記入力手段に前記印刷情報が入力されたとき、前記印刷情報に固有の識別情報を生成し、前記印刷情報を前記識別情報とともに前記記憶手段に記憶し、前記印刷装置に対し印刷指示を行うことを特徴とする請求項４に記載の印刷システム。
【請求項６】
前記印刷情報には、印刷設定情報および印刷データが含まれることを特徴とする請求項４に記載の印刷システム。
【請求項７】
前記印刷装置は、前記付属物として前記印刷物と同質の媒体を用いることを特徴とする請求項４に記載の印刷システム。
【請求項８】
前記印刷装置は、前記付属物を前記印刷物から取り外し可能に前記印刷物に付属させる後処理を行うことを特徴とする請求項４に記載の印刷システム。
【請求項９】
前記印刷装置は、前記印刷物を製本するとともに、前記付属物を製本せずに前記印刷物から抜き取り可能に前記印刷物に挿入する後処理を行うことを特徴とする請求項４に記載の印刷システム。
【請求項１０】
前記印刷装置は、前記印刷物を構成する媒体よりも弱い結合力で前記付属物を前記印刷物に結合させる後処理を行うことを特徴とする請求項４に記載の印刷システム。
【請求項１１】
前記印刷装置は、前記識別情報を部単位で前記付属物に印刷することを特徴とする請求項４に記載の印刷システム。
【請求項１２】
前記印刷装置は、前記識別情報を前記付属物の色に近い色で前記付属物に印刷することを特徴とする請求項４に記載の印刷システム。
【請求項１３】
前記印刷装置は、文字からなる前記識別情報を前記付属物に印刷し、
前記入力手段は、前記文字を入力するキーを備えたことを特徴とする請求項４に記載の印刷システム。
【請求項１４】
前記印刷装置は、文字からなる前記識別情報を前記付属物に印刷し、
前記入力手段は、前記付属物に印刷された前記文字を光学的に読み取って前記識別情報を認識する読取部を備えたことを特徴とする請求項４に記載の印刷システム。
【請求項１５】
前記印刷装置は、機械読み取り符号からなる前記識別情報を前記付属物に印刷し、
前記入力手段は、前記付属物に印刷された前記機械読み取り符号を光学的に読み取って前記識別情報を認識する読取部を備えたことを特徴とする請求項４に記載の印刷システム。
【請求項１６】
前記印刷装置は、励起光の照射によって発光する発光パターンからなる前記識別情報を前記付属物に印刷し、
前記入力手段は、前記付属物に印刷された前記発光パターンに前記励起光を照射する照射部と、前記発光パターンの発光を受光して前記識別情報を読み取る読取部とを備えたことを特徴とする請求項４に記載の印刷システム。
【発明の詳細な説明】
【技術分野】
【０００１】
本発明は、印刷装置に対し印刷指示を行う印刷指示装置、および印刷装置および印刷指示装置からなる印刷システムに関する。
【背景技術】
【０００２】
従来、印刷業界においては、顧客より依頼された印刷物について、その再印刷を受注することが一般に行われている。
【０００３】
このために、印刷物の作成に用いた版下データと印刷指示内容(ジョブチケット)の組み合わせをシステム上に再印刷用データとして保管することも一般的である。
【０００４】
さらに、保存された再印刷データに識別子が付与されることにより、顧客はその識別子を基にして再発注を容易に行うことができるように、業務をシステム化することも一般的である。
【０００５】
しかしながら、これまでの例においては、付与された識別子は受発注のための書類あるいは、業務のためのオンラインシステム上においてのみ提示されていた。例えば、一般的な書類による受発注手続きにおいては、納品書に記載されたり、オンラインシステム上での受発注手続きにおいては、そのシステムが提供する受発注の履歴を表示する画面等において表示されたりといった手段が用いられてきた（例えば、特許文献１参照。）。
【０００６】
また、従来の他の画像形成装置として、印刷物にＩＤ番号をバーコードの形態で印刷し、あるいは印刷ジョブ（ファイル名、印刷範囲）に対応するＩＤ番号を記録したＲＦＩＤタグを印刷物に付加し、その印刷物に対応する画像データをそのＩＤ番号とともに記憶装置に格納しておき、再度同じ文書を印刷するときは、印刷物上のバーコードあるいはＲＦＩＤタグからＩＤ番号をバーコードリーダあるいはタグＩＤ読取部で読み取り、記憶装置内を検索して該当する画像データを読み出して再印刷を行うものが知られている（例えば、特許文献２参照。）。
【特許文献１】特開２００３−３２３２７０号公報（段落［０００３］）
【特許文献２】特開２００４−３２２５７０号公報（段落［０００７］、請求項１、請求項６）
【発明の開示】
【発明が解決しようとする課題】
【０００７】
従来のこれらの手段においては、最終的に納品された印刷物と、受発注の履歴との関連が希薄であるため、顧客が再発注作業を行う際に所望の印刷物を再発注するために、該当する過去の発注情報をさかのぼって参照するといった必要があった。また、その際に過去の発注情報の識別子に基づいて再発注を行うと、誤った印刷物を発注し損失を被る可能性があった。
【０００８】
特許文献２に記載された画像形成装置によると、限られた印刷形態でしか印刷することができず、汎用性に欠けていた。また、印刷物上のバーコードやＲＦＩＤタグによって印刷物のデザインが損なわれることもある。
【０００９】
従って、本発明の目的は、印刷物のデザインを損ねることなく、様々な印刷形態に対応することができ、印刷の再発注を容易に行えるようにした印刷指示装置および印刷システムを提供することにある。
【課題を解決するための手段】
【００１０】
本発明は、上記目的を達成するため、印刷物の生成に必要な印刷情報をその識別情報ととも記憶する記憶手段と、前記識別情報を入力する入力手段と、前記入力手段によって入力された前記識別情報に対応する前記印刷情報を前記記憶手段から読み出し、前記印刷物の生成、および前記印刷物の付属物への前記識別情報の印刷を行うよう印刷装置に対し印刷指示を行う印刷実行手段とを備えたことを特徴とする印刷指示装置を提供する。
【００１１】
上記印刷指示装置によれば、印刷物の付属物に識別情報を印刷することにより、発注者は識別情報で印刷の再発注を行うことができる。受注者は、印刷の再受注の際にその識別情報を入力手段に入力することで、再印刷に必要な印刷情報を取得することができる。
【００１２】
上記入力手段は、前記識別情報の他に前記印刷情報を入力するものであり、上記印刷実行手段は、入力手段に印刷情報が入力されたとき、印刷情報に固有の識別情報を生成し、印刷情報を識別情報とともに記憶手段に記憶し、印刷装置に対し印刷指示を行う構成としてもよい。
【００１３】
上記構成によれば、初回の発注の際に、印刷情報を識別情報とともに記憶手段に記憶し、印刷物の付属物に識別情報を印刷することにより、発注者は識別情報で印刷の再発注を行うことができる。受注者は、印刷の再受注の際にその識別情報を入力手段に入力することで、再印刷に必要な印刷情報を取得することができる。
【００１４】
上記印刷情報には、印刷設定情報および印刷データが含まれるものとしてもよい。これにより、様々な印刷形態に対応することができる。
【００１５】
本発明は、上記目的を達成するため、印刷装置と、前記印刷装置に対し印刷指示を行う印刷指示装置とを有する印刷システムにおいて、前記印刷指示装置は、印刷物の生成に必要な印刷情報をその識別情報ととも記憶する記憶手段と、前記識別情報を入力する入力手段と、前記入力手段によって入力された前記識別情報に対応する前記印刷情報を前記記憶手段から読み出し、印刷物の生成、および前記印刷物の付属物への前記識別情報の印刷を行うよう前記印刷装置に対し印刷指示を行う印刷実行手段とを備えたことを特徴とする印刷システムを提供する。
【００１６】
上記印刷システムによれば、印刷物の付属物に識別情報を印刷することにより、発注者は識別情報で印刷の再発注を行うことができる。受注者は、印刷の再受注の際にその識別情報を入力手段に入力することで、再印刷に必要な印刷情報を取得することができる。
【００１７】
上記入力手段は、識別情報の他に印刷情報を入力するものであり、上記印刷実行手段は、入力手段に印刷情報が入力されたとき、印刷情報に固有の識別情報を生成し、印刷情報を識別情報とともに記憶手段に記憶し、印刷装置に対し印刷指示を行う構成としてもよい。
【００１８】
上記構成によれば、初回の発注の際に、印刷情報を識別情報とともに格納手段に格納し、印刷物の付属物に識別情報を印刷することにより、発注者は識別情報で印刷の再発注を行うことができる。受注者は、印刷の再受注の際にその識別情報を入力手段に入力することで、再印刷に必要な印刷情報を取得することができる。
【００１９】
上記印刷情報には、印刷設定情報および印刷データが含まれるものとしてもよい。これにより、様々な印刷形態に対応することができる。
【００２０】
上記印刷装置は、付属物として印刷物と同質の媒体を用いることが好ましい。印刷装置による印刷物と付属物の印刷処理を一貫して行うことができる。
【００２１】
上記印刷装置は、付属物を印刷物から取り外し可能に印刷物に付属させる後処理を行うものであることが好ましい。発注の際に付属物を示して発注することが容易となる。
【００２２】
上記印刷装置は、印刷物を製本するとともに、付属物を製本せずに印刷物から抜き取り可能に印刷物に挿入する後処理を行うものであることが好ましい。例えば、上記付属物は、印刷物を構成する媒体よりも弱い結合力で印刷物に結合することにより実現することができる。このような構成により、付属物の取り外しが容易となる。
【００２３】
上記印刷装置は、識別情報を部単位で付属物に印刷する構成でもよい。複数の人あるいは部門にそれぞれ印刷物を提供した後、複数の人あるいは部門から再印刷の発注を行うことが可能となる。
【００２４】
上記印刷装置は、識別情報を付属物の色に近い色で付属物に印刷してもよい。これにより、付属物のデザインを損ねることがなくなる。
【００２５】
上記印刷装置は、文字からなる識別情報を付属物に印刷し、上記入力手段は、文字を入力するキーを備えた構成でもよい。文字で表された識別情報は、目視により認識することができる。
【００２６】
上記印刷装置は、文字からなる識別情報を付属物に印刷し、上記入力手段は、付属物に印刷された文字を光学的に読み取って識別情報を認識する読取部を備えた構成としてもよい。これにより、文字入力の手間が省ける。
【００２７】
上記印刷装置は、機械読み取り符号からなる識別情報を付属物に印刷し、上記入力手段は、付属物に印刷された機械読み取り符号を光学的に読み取って識別情報を認識する読取部を備えた構成としてもよい。機械読み取り符号としては、バーコード，２次元コード等の人間に見える符合や、電子透かし，ステガノフラフィー等の人間に見え難い符号が含まれる。機械読み取り符号として人間に見える符号を用いることにより、識別情報にデザインとしての機能を持たせることが可能となる。機械読み取り符号として人間に見え難い符号を用いることにより、付属物のデザインを損ねることがなくなる。
【００２８】
上記印刷装置は、紫外線等の励起光の照射によって発光する燐光等の発光成分を有する発光パターンからなる識別情報を付属物に印刷し、上記入力手段は、付属物に印刷された発光パターンに励起光を照射する紫外線ランプ等の照射部と、発光パターンの発光を受光して識別情報を読み取る読取部とを備えた構成としてもよい。
【発明の効果】
【００２９】
本発明によれば、印刷物のデザインを損ねることなく、様々な印刷形態に対応することができ、印刷の再発注を容易に行えることができる。
【発明を実施するための最良の形態】
【００３０】
図１は、本発明の実施の形態に係る印刷システムの構成を示す。この印刷システム１は、印刷指示装置２と、印刷指示装置２からの印刷指示あるいは再印刷指示に基づき、印刷物を生成し、その付属物に識別情報を印刷する印刷装置３とから構成されている。
【００３１】
印刷指示装置２は、印刷指示を受け付ける印刷・再印刷指示入力手段２０と、印刷装置３を用いて印刷を実行する印刷実行手段２１と、初回の印刷指示については再印刷情報を再印刷情報記憶手段２３に格納する再印刷情報・印刷データ格納手段２２と、再印刷指示については再印刷情報記憶手段２３から再印刷情報を取得する再印刷情報・印刷データ取得手段２５と、再印刷情報・印刷データ取得手段２５によって取得された再印刷情報に基づいて印刷装置３を用いて印刷を実行する再印刷実行手段２４とを備えたものであり、このような印刷指示装置２は、例えば、パーソナルコンピュータにより実現される。
【００３２】
印刷・再印刷指示入力手段２０は、印刷業者であるオペレータが識別情報、顧客名、および印刷設定情報を入力するためのキーボード、タッチパネル、マウス等の入力デバイスと、ＣＤ−Ｒ等の記録メディアから原稿の印刷データを読み取る記録メディアドライバと、印刷原稿から印刷データを光学的に読み取るスキャナと、付属物に印刷されている数字を光学的に読み取って識別情報を認識する文字読取部とを備える。
【００３３】
再印刷情報記憶手段２３は、印刷情報としての印刷データおよび印刷設定情報をそれらの識別情報とともに保持するものであり、例えば、ハードディスク等の外部記憶装置や、交換可能なＣＤ−Ｒ等の記録メディアとその記録・再生装置等により実現される。
【００３４】
印刷装置３は、印刷設定情報に基づき印刷物を生成する印刷部３０と、印刷設定情報に基づき仕分け等の後処理を行う後処理部３１とを備える。
【００３５】
印刷部３０は、サイズの異なる複数の用紙を選択的に使用する機構を備え、例えば、小さな用紙を後処理部３１に送ることで、付属物の用紙を製本時の綴じから除外することができるように構成されている。また、印刷部３０は、電子写真方式、インクジェット方式、感熱転写方式等の各種の印刷方式のものを用いることができる。本発明の効果を有効とするには、この例に示す通り印刷部３０と後処理部３１が一体化していることが望ましいが、必須ではない。
【００３６】
後処理部３１は、バインダーテープによる綴じを実行する機構と、例えば、用紙をずらす、用紙の端面をギザギザに加工して糊の付着を防ぐ、といった手法により、付属物の用紙を製本時の綴じから除外する機能と、ステープルによる綴じを実行する機構と、例えば、用紙をずらす、用紙の一部を切除する、といった手法により、付属物の用紙を綴じから除外する機能とを備える。
【００３７】
図２は、再印刷情報記憶手段２３に格納されている情報を示す。再印刷情報記憶手段２３には、同図に示すように、再印刷情報として、識別情報としての識別子５１、顧客名５２、印刷データＩＤ５３、印刷設定情報５４が格納される。なお、再印刷情報は、これらに限定されず、任意の項目を付加することができる。
【００３８】
（印刷システムの動作）
次に、本印刷システム１の動作を説明する。
【００３９】
（１）初回の印刷指示
顧客から初めて印刷指示を受け付ける場合、オペレーターは、顧客から印刷すべき原稿あるいは印刷データと印刷設定情報を受け取り、その原稿の印刷データおよび印刷設定情報を印刷・再印刷指示入力手段２０により入力する。すなわち、原稿の印刷データがＣＤ−Ｒ等の記録メディアに記録されている場合には、記録メディアドライバにより記録メディアから印刷データを読み取る。顧客から印刷原稿を紙で受けた場合には、スキャナーにより印刷原稿を光学的に読み取る。
【００４０】
印刷・再印刷指示入力手段２０は、入力された印刷データと印刷設定情報を印刷実行手段２１に通知する。
【００４１】
印刷実行手段２１は、印刷・再印刷指示入力手段２０から通知された印刷データと印刷設定情報との組合せに対して識別情報を付与し、その識別情報を印刷データと印刷設定情報と共に再印刷情報・印刷データ格納手段２２に転送する。また、印刷実行手段２１は、識別情報、印刷データおよび印刷設定情報を印刷装置３に送り、印刷装置３に印刷および後処理を行わせる。
【００４２】
印刷装置３の印刷部３０は、印刷データおよび印刷設定情報に基づいて印刷を行うとともに、印刷物に付属する用紙上に識別情報を印刷する。後処理部３１は、印刷設定情報に基づき仕分け等の後処理を行う。
【００４３】
再印刷情報・印刷データ格納手段２２は、印刷データと印刷設定情報を識別情報とともに再印刷情報記憶手段２３に格納する。
【００４４】
（２）再印刷指示
オペレータは、顧客から識別情報を受け取ると、印刷・再印刷指示入力手段２０に識別情報を入力する。識別情報の入力によって印刷・再印刷指示入力手段２０は、再印刷指示であるとことを認識し、識別情報を再印刷実行手段２４に渡す。文字からなる識別情報が印刷された付属物を顧客から渡された場合は、文字読取部によってにその文字を認識してもよい。
【００４５】
再印刷実行手段２４は、識別情報を再印刷情報・印刷データ取得手段２５に通知すると、再印刷情報・印刷データ取得手段２５は、識別情報に基づき、再印刷情報・印刷データ格納手段２２から印刷データと印刷設定情報を検索し、再印刷実行手段２４に渡す。
【００４６】
再印刷実行手段２４は、印刷データおよび印刷設定情報を取得すると、印刷データおよび印刷設定情報を、識別情報とともに印刷装置３に送り、印刷および後処理を行わせる。
【００４７】
印刷装置３の印刷部３０は、印刷データおよび印刷設定情報に基づいて印刷を行うとともに、印刷物に付属する用紙上に識別情報を印刷する。後処理部３１は、印刷設定情報に基づき仕分け等の後処理を行う。
【００４８】
（実施の形態の効果）
この実施の形態によれば、以下の効果が得られる。
（イ）顧客は、納品された印刷物が１部でも残っていた場合、その印刷物の付属物に印刷された識別情報を参照することにより、容易にそれを再発注(追加発注)することができる。また、過去の発注履歴を参照するといった煩わしさや、誤って異なる印刷物を発注することを避けることができる。
（ロ）印刷業者は、顧客から識別情報を受け取ることで、容易に間違いなく再受注を受けることができる。
（ハ）付属物の識別子記録用紙７に識別子７１が印刷されているので、印刷物のデザインを損ねることがない。
（ニ）印刷設定情報を書き替えることで、様々な印刷形態に対応することができる。
（ホ）識別情報を印刷物の付属物に可視的な状態で印刷されていた場合、顧客に対して再発注の意欲を喚起することができる。
【実施例１】
【００４９】
図３は、本発明の実施例１の成果物たる印刷物および識別子記録用紙を示す。この実施例１の成果物は、図２に示す識別子「２００４１２０９００１」で識別される印刷設定情報５４、すなわち「本文：Ａ４白両面、表示：透明カバーおもてうら、印刷なし」に従って作製された印刷物６と、印刷物６に分離可能に挿入された識別子記録用紙７とからなる。
【００５０】
印刷物６は、識別子「２００４１２０９００１」の印刷設定情報に従って複数枚の本文用紙６１を透明カバー６２Ａ，６２Ｂで挟み、本文用紙６１および透明カバー６２Ａ，６２Ｂをバインダーテープ６３に固定して製本したものである。
【００５１】
識別子記録用紙７は、本文用紙６１と同じ紙質の用紙に、「再印刷のご用命の際は以下の番号をお知らせください」の案内文７０と、識別子「２００４１２０９００１」７１が印刷されている。
【００５２】
このように構成された印刷物６および識別子記録用紙７を作製するためには、印刷装置３の印刷部３０が図２に示す印刷設定情報５４に従い、印刷データＩＤ５３に対応する印刷文をＡ４サイズの本文用紙６１の両面に印刷し、識別子記録用紙７に案内文７０および識別子７１を印刷し、本文用紙６１を透明カバー６２Ａ，６２Ｂで挟むとともに、識別子記録用紙７を搬送方向に垂直な方向にオフセットして識別子記録用紙７を透明カバー６２Ａと本文用紙６１との間に挿入し、後処理部３１に出力する。
【００５３】
後処理部３１では、印刷設定情報５４に基づいて、透明カバー６２Ａ，６２Ｂおよび本文用紙６１の背の部分をバインダーテープ６３で固定する。このとき、識別子記録用紙７は、バイダーテープ６３から離れる方向にオフセットしているので、本文用紙６１と一緒に綴じられることはない。
【００５４】
印刷物６と同一のものを注文する際は、印刷物６から識別子記録用紙７を抜いて印刷業者に提示する。印刷業者のオペレータは、識別子記録用紙７に印刷された識別子７１を印刷・再印刷指示入力手段２０により入力することにより、印刷物６とその付属物の識別子記録用紙７を再印刷することができる。
【００５５】
この実施例１によれば、識別子記録用紙７は、バイダーテープ６３によって綴じられないため、識別子記録用紙７を印刷物６から容易に分離することができる。
【００５６】
なお、本文用紙６１は、上記ようにバインダーテープ６３に固定して製本したが、のり付けして製本してもよい。
【実施例２】
【００５７】
図４は、本発明の実施例２の印刷物および識別子記録用紙を示す。この実施例２は、図２に示す識別子「２００４１２０９００３」で識別される注文に基づいて印刷されたものであり、印刷物６は、本文用紙６１、および本文用紙６１と同じ用紙からなる表紙６５Ａ，６５Ｂが複数の箇所でステープル６４によって固定され、製本されている。
【００５８】
識別子記録用紙７は、案内文７０および識別子７１が印刷され、実施例１と同様に搬送方向に垂直な方向にオフセットされ表紙６５Ａと本文用紙６１との間に挿入されている。
【００５９】
この実施例２によれば、識別子記録用紙７は、ステープル６４によって綴じられないため、識別子記録用紙７を印刷物６から容易に分離することができる。
【実施例３】
【００６０】
図５は、本発明の実施例３の印刷物および識別子記録用紙を示す。この実施例３は、図２には対応する印刷情報が記載されていないが、実施例１において、識別子記録用紙７のバインダーテープ６３と接触する部分に突起状加工が施されて複数の突起部７３が形成されたものであり、他は実施例１と同様に構成されている。
【００６１】
複数の突起部７３を有する識別子記録用紙７は、予め複数の突起部７３を有する用紙を選択して給紙する機構を印刷部３０に備えてもよし、そのような加工を施す機構を後処理部３１に設けてもよい。
【００６２】
この実施例３によれば、識別子記録用紙７は、複数の突起部７３によってステープル６４に接触したとしてもステープル６４によって綴じられていないため、識別子記録用紙７を印刷物６から容易に分離することができる。
【実施例４】
【００６３】
図６は、本発明の実施例４の印刷物および識別子記録用紙を示す。この実施例４は、図２には対応する印刷情報が記載されていないが、印刷物６は、ステープル６４によって透明カバー６２Ａ，６２Ｂ、本文用紙６１を部分的に固定して製本したものである。
【００６４】
この実施例４の識別子記録用紙７は、本文用紙６１と同一のサイズを有し、ステープル６４の位置を逃げるように切欠き部７２を有しており、他は実施例１と同様に、案内文７０および識別子７１が印刷されている。
【００６５】
切欠き部７２を有する識別子記録用紙７は、予め切欠き部７２を有する用紙を選択して給紙する機構を印刷部３０に備えてもよし、そのような加工を施す機構を後処理部３１に設けてもよい。
【００６６】
この実施例４によれば、識別子記録用紙７は、ステープル６４を逃げるように切欠き部７２を設けているので、ステープル６４によって綴じられていないため、識別子記録用紙７を印刷物６から容易に分離することができる。
【００６７】
なお、識別子記録用紙７は、用紙に切欠き部を形成せずに、本文用紙６1のサイズよりも小さいサイズを用いてもよい。この場合も、識別子記録用紙７を印刷物６から容易に分離することができる。
【００６８】
なお、本発明は、上記実施の形態および上記各実施例に限定されず、その要旨を変更しない範囲内で種々変形実施が可能である。
【００６９】
例えば、識別情報を印刷物を構成する媒体の一部、たとえば表紙の裏などに印刷してもよい。この場合、識別情報が人間には認識しづらいように媒体の色に近い色で印刷されてもよい。また、識別情報が人間には通常不可視であるが、紫外線を照射するといった手段で読み取り可能となるようにしてもよい。これにより、識別情報が印刷物のデザインを損ねることがなくなる。
【００７０】
また、識別情報が、人間にはそれと認識されづらい手段で記録されている場合、印刷物そのものに付与することで、識別情報とそれに対応した発注内容との齟齬を生じないようにできる。
【００７１】
また、印刷指示装置２が有する機能の一部を印刷装置３側に移してもよい。例えば、印刷実行手段２１および再印刷実行手段２４が有する機能のうち、印刷装置３内の機構を制御する部分は、印刷装置３側に移してもよい。
【００７２】
上記実施の形態および上記実施例では、印刷設定情報として印刷物に関するもののみを規定したが、付属物も含めたものでもよい。
【図面の簡単な説明】
【００７３】
【図１】本発明の実施の形態に係る印刷システムの構成を示すブロック図である。
【図２】本発明の実施の形態に係る再印刷情報記憶手段に格納されている情報を示す図である。
【図３】本発明の実施例１の印刷態様を示す図である。
【図４】本発明の実施例２の印刷態様を示す図である。
【図５】本発明の実施例３の印刷態様を示す図である。
【図６】本発明の実施例４の印刷態様を示す図である。
【符号の説明】
【００７４】
１  印刷システム
２  印刷指示装置
３  印刷装置
６  印刷物
７  識別子記録用紙
２０  印刷・再印刷指示入力手段
２１  印刷実行手段
２２  再印刷情報・印刷データ格納手段
２３  再印刷情報記憶手段
２４  再印刷実行手段
２５  再印刷情報・印刷データ取得手段
３０  印刷部
３１  後処理部
５１  識別子
５２  顧客名
５４  印刷設定情報
６１  本文用紙
６１  本文用紙
６２Ａ，６２Ｂ  透明カバー
６３  バインダーテープ
６４  ステープル
６５Ａ，６５Ｂ  表紙
７０  案内文
７１  識別子
７２  切欠き部
７３  突起部
【図１】
2006277439.tif 000003
【図２】
2006277439.tif 000004
【図３】
2006277439.tif 000005
【図４】
2006277439.tif 000006
【図５】
2006277439.tif 000007
【図６】
2006277439.tif 000008